(57)【要約】【課題】災害時などに使用するために小さく且つ厚みが薄い状態で保管しておくことができ、取り扱い性に優れた非常時用水収納袋を提供する。【解決手段】合成樹脂フィルムを材料に用いて作られ底部が膨らんだスタンディングパック形態の非常時用水収納袋１であって、非常時用水収納袋１の本体胴部を構成する表裏２枚のシート部の上端近傍内面に互いに係合する開閉自在なファスナー７を備えて上端より水を供給可能に構成し、前記非常時用水収納袋１のファスナー７による開閉位置よりも下側位置に水の取り出し口８を設け、この取り出し口８には開閉自在なキャップ９を設け、さらに前記非常時用水収納袋１のファスナー７による開閉位置よりも上側において前記２枚のシート部に切り込みを入れて取っ手部１０を形成した。【選択図】    図１
2006117281.tif 000002
【特許請求の範囲】
【請求項１】
合成樹脂フィルムを材料に用いて作られ底部が膨らんだスタンディングパック形態の非常時用水収納袋であって、非常時用水収納袋の本体胴部を構成する表裏２枚のシート部の上端近傍内面に互いに係合する開閉自在なファスナーを備えて上端より水を供給可能に構成し、前記非常時用水収納袋のファスナーによる開閉位置よりも下側位置に水の取り出し口を設け、この取り出し口には開閉自在なキャップを設け、さらに前記非常時用水収納袋のファスナーによる開閉位置よりも上側において前記２枚のシート部に切り込みを入れて取っ手部を形成してなることを特徴とする非常時用水収納袋。
【請求項２】
取っ手部が形成される位置で２枚のシート部の内面に合成樹脂製の補強用のシート材を融着してなることを特徴とする請求項１記載の非常時用水収納袋。
【請求項３】
２枚の各シート部に設けられる補強用のシート材には表面に感圧性接着剤が塗布されていることを特徴とする請求項２記載の非常時用水収納袋。
【発明の詳細な説明】
【技術分野】
【０００１】
本発明は、例えば災害時などにおいて水を溜める非常時用水収納袋に関するものである。
【背景技術】
【０００２】
従来、災害時などにおいて給水車から水を受け取るために合成樹脂製の硬質の容器を準備し、この容器に給水する場合が多く見受けられる。
【発明の開示】
【発明が解決しようとする課題】
【０００３】
上記従来の合成樹脂製の硬質の容器は、形や大きさが一定のため、嵩高く、保管に場所を取るという問題があった。
本発明の目的は、このような課題を解決するものであり、災害時などに使用するために小さく且つ厚みが薄い状態で保管しておくことができ、取り扱い性に優れた非常時用水収納袋を提供することにある。
【課題を解決するための手段】
【０００４】
本発明の請求項１に記載の非常時用水収納袋は、合成樹脂フィルムを材料に用いて作られ底部が膨らんだスタンディングパック形態の非常時用水収納袋であって、非常時用水収納袋の本体胴部を構成する表裏２枚のシート部の上端近傍内面に互いに係合する開閉自在なファスナーを備えて上端より水を供給可能に構成し、前記非常時用水収納袋のファスナーによる開閉位置よりも下側位置に水の取り出し口を設け、この取り出し口には開閉自在なキャップを設け、さらに前記非常時用水収納袋のファスナーによる開閉位置よりも上側において前記２枚のシート部に切り込みを入れて取っ手部を形成してなることを特徴とする。
【０００５】
請求項２に記載の非常時用水収納袋は、取っ手部が形成される位置で２枚のシート部の内面に合成樹脂製の補強用のシート材を融着してなることを特徴とする。
請求項３に記載の非常時用水収納袋は、２枚の各シート部に設けられる補強用のシート材には表面に感圧性接着剤が塗布されていることを特徴とする。
【発明の効果】
【０００６】
以上のように、本発明の非常時用水収納袋は、合成樹脂フィルムを材料に用いて作られスタンディングパック形態の非常時用水収納袋であるので、内容物が入っていないときは扁平で小さく且つ厚みが薄い状態で保管しておくことができる。また、給水車から水を受け取るときはファスナー同士の係合を外して口を大きく開いた状態にすることができるので、給水作業が行ないやすくなる。また、取っ手部は２枚のシート部の内面にそれぞれ融着した補強用のシート材により補強されているので、強度が強く、持ち易くなる。さらに、この２枚のシート部の内面の補強用のシート材には表面に感圧性接着剤が塗布されているので２枚のシート部間に挟んで熱により融着する際などにおいてずれ動きが発生しにくくなる。また、非常時用水収納袋に水を入れた状態において、２枚のシート部の内面の補強用のシート材は感圧性接着剤により閉じた状態を保持できるので、ごみや異物がファスナー部に溜まるのを防止でき、衛生的である。
【発明を実施するための最良の形態】
【０００７】
以下、本発明の一実施の形態を、図１〜図５を用いて具体的に説明する。
図において、１は合成樹脂フィルムを材料に用いて作られ底部が膨らんだスタンディングパック形態の非常時用水収納袋であって、この非常時用水収納袋１は底部を構成するシート部２と、本体胴部を構成する表裏２枚のシート部３，４をヒートシールにより接合させることにより構成され、本体胴部を構成する表裏２枚のシート部３，４の上端近傍内面に互いに係合する開閉自在な凹状部５と凸状部６とからなるジッパー式のファスナー７を備えて上端より水を供給可能に構成してある。そして、ファスナー７による開閉位置よりも下側位置に本体胴部の肩部に水の取り出し口８を設け、この取り出し口８には開閉自在なキャップ９を設けてある。さらに、前記非常時用水収納袋１のファスナー７による開閉位置よりも上側において前記２枚のシート部３，４に横向きＣ型の切り込み３ａ，４ａを入れて取っ手部１０を形成してある。なお、前記シート部２，３，４は共に複数層の合成樹脂フィルムを積層接着して作られている。
【０００８】
ところで、前記取っ手部１０が形成される位置で２枚のシート部３，４の内面に合成樹脂製の補強用のシート材１１，１２が融着されており、前記切り込み３ａ，４ａの部分から切断しないように取っ手部１０の強度を向上させるように構成されている。この補強用のシート材１１，１２にも前記切り込み３ａ，４ａに合わせて切り込み１１ａ，１２ａが入れられるのであるが、切り込み３ａ，４ａおよび切り込み１１ａ，１２ａは前記シート部３，４と補強用のシート材１１，１２を融着にて接合した後、補強用のシート材１１，１２同士を重ねた状態で同時に形成されるものである。また、補強用のシート材１１，１２の表面にシート部３，４に対する融着前に予め感圧性接着剤を塗布しておくことにより、２枚のシート部間に挟んで熱により融着する際などにおいてずれ動きが発生しにくくなる。
【０００９】
さらに、前記凹状部５と凸状部６とからなるジッパー式のファスナー７の代わりに面ファスナーを用いることも可能である。
なお、非常時用水収納袋１を構成するシート部２やシート部３，４はオール合成樹脂製であっても良いが、例えば間の層にアルミ箔などの遮光性のあるフィルムを介在させた材料を用いることも可能である。
【００１０】
上記構成において、非常時用水収納袋１に水を給水する場合、前記ファスナー７を開いて非常時用水収納袋１の上端より給水すれば良く、給水後はファスナー７を閉じ、前記取り出し口８のキャップ９を外して、取り出し口８より水を取り出せば良い。水が入った非常時用水収納袋１を持ち運びする場合は、図５に示すように取っ手部１０の前記切り込み３ａ，１１ａおよび切り込み４ａ，１２ａで囲まれる部分を互いに重ね合わせた状態にすることにより持ち運びが容易となる。
【図面の簡単な説明】
【００１１】
【図１】本発明の一実施の形態における非常時用水収納袋の扁平状態を示す斜視図である。
【図２】同非常時用水収納袋の扁平状態を示す正面図である。
【図３】同非常時用水収納袋の扁平状態を示す断面図である。
【図４】同非常時用水収納袋に給水した後の状態を示す斜視図である。
【図５】同非常時用水収納袋の取っ手部の拡大斜視図である。
【符号の説明】
【００１２】
１              非常時用水収納袋
２，３，４      シート部
３ａ，４ａ      切り込み
５              凹状部
６              凸状部
７              ファスナー
８              取り出し口
９              キャップ
１０              取っ手部
１１，１２        シート材
１１ａ，１２ａ    切り込み
【図１】
2006117281.tif 000003
【図２】
2006117281.tif 000004
【図３】
2006117281.tif 000005
【図４】
2006117281.tif 000006
【図５】
2006117281.tif 000007